(57)【要約】【課題】  接続作業性に優れ、異種金属による接触腐食を防止可能なワイヤハーネスを提供する。【解決手段】  被覆電線５の先端は、絶縁被覆５ａが剥離され、内部の電線導体７が露出する。絶縁被覆が剥離されて露出する電線導体７は、導体圧着部１３により圧着される。電線導体７には、ゴム部材９ａ、９ｂが設けられる。ゴム部材９ａ、９は、絶縁被覆５ａよりも硬度が小さく、容易に弾性変形可能な部材である。ゴム部材９ａは電線導体７の先端に設けられ、電線導体７を被覆する。ゴム部材９ｂは、電線導体７と絶縁被覆５ａとの境界部近傍に設けられ、その一部で、電線導体７を被覆する。したがって、電線導体７は、一対のゴム部材９ａ、９ｂで両端（先端および後端）を被覆され、その中央部において、内部の電線導体が露出する。【選択図】図１
2012198998.tif 000002
【特許請求の範囲】
【請求項１】
先端が絶縁被覆から露出する電線導体と、
前記電線導体とは材質の異なる異種金属からなり、前記電線導体を圧着する導体圧着部と、絶縁被覆部を圧着する被覆圧着部とから形成される端子部と、
少なくとも、前記導体圧着部に対応する部位を除き前記電線導体に配置されたゴム部材と、を具備し、
前記電線導体を前記導体圧着部に圧着させた際に、前記導体圧着部の前後の前記電線導体が前記ゴム部材で被覆されることを特徴とするワイヤハーネス。
【請求項２】
前記導体圧着部の前後の前記電線導体を被覆するそれぞれの前記ゴム部材が連結部で連結されており、前記連結部が前記導体圧着部の変形端に対応する部位に配置されることを特徴とする請求項１記載のワイヤハーネス。
【請求項３】
前記絶縁被覆から露出する前記電線導体は、前記ゴム部材で被覆され、前記導体圧着部に対応する部位の前記ゴム部材に穴が形成され、前記電線導体を前記導体圧着部に圧着すると、前記穴を介して前記電線導体と前記導体圧着部とが接触することを特徴とする請求項１記載のワイヤハーネス。
【請求項４】
前記ゴム部材の内部には、接着剤が封入されており、
前記電線導体を前記導体圧着部に圧着し、前記導体圧着部により前記ゴム部材の一部が破れた際に、内部の接着剤を流出させ、前記ゴム部材の破れた部位で前記接着剤を硬化させることが可能であることを特徴とする請求項１から請求項３のいずれかに記載のワイヤハーネス。
【請求項５】
前記導体圧着部を前記電線導体に圧着した際に、前記導体圧着部の中央部が強圧着部となり、前記導体圧着部の前後が弱圧着部となることを特徴とする請求項１から請求項４のいずれかに記載のワイヤハーネス。
【請求項６】
前記端子部には、前記電線導体を前記導体圧着部に圧着した際に、前記電線導体の先端に設けられたゴム部材と接触する突起部が設けられることを特徴とする請求項１から請求項５のいずれかに記載のワイヤハーネス。
【請求項７】
前記電線導体はアルミニウム製であり、前記端子部が銅製であることを特徴とする請求項１から請求項６のいずれかに記載のワイヤハーネス。
【発明の詳細な説明】
【技術分野】
【０００１】
本発明は自動車等に用いられるワイヤハーネスに関するものである。
【背景技術】
【０００２】
従来、自動車、ＯＡ機器、家電製品等の分野では、電力線や信号線として、電気導電性に優れた銅系材料からなる導電線が使用されている。特に、自動車分野においては、車両の高性能化、高機能化が急速に進められており、車載される各種電気機器や制御機器が増加している。したがって、これに伴い、使用されるワイヤハーネスも増加する傾向にある。
【０００３】
一方、環境問題が注目される中、自動車の軽量化が要求されている。したがって、ワイヤハーネスの使用量増加に伴う重量増加が問題となる。このため、従来使用されている銅線に代えて、軽量なアルミニウム電線が注目されている。
【０００４】
ここで、このような電線同士を接続する際や機器類等の接続部においては、接続用端子が用いられる。しかし、アルミニウム心線を用いたワイヤハーネスであっても、接続部の信頼性等のため、端子部には、電気特性に優れる銅が使用される場合がある。このような場合には、アルミニウム電線と銅製の端子とが接合されて使用される。
【０００５】
しかし、異種金属を接触させると、標準電極電位の違いから、いわゆる電食が発生する恐れがある。特に、アルミニウムと銅との標準電極電位差は大きいため、接触部への水の飛散や結露等の影響により、電気的に卑であるアルミニウム側の腐食が進行する。このため、接続部における電線と端子との接続状態が不安定となり、接触抵抗の増加や線径の減少による電気抵抗の増大、更には断線が生じて電装部品の誤動作、機能停止に至る恐れがある。
【０００６】
このような異種金属を接続したアルミ電線用端子としては、電線と端子との接続部を覆うように端子に樹脂材を充填した物がある（特許文献１）。
【先行技術文献】
【特許文献】
【０００７】
【特許文献１】特開２００４−１１１０５８号公報
【発明の概要】
【発明が解決しようとする課題】
【０００８】
しかし、特許文献１の方法では、コネクタ端子全体を完全に樹脂材で覆う必要がある。このため、被覆電線と端子とを圧着後、樹脂を被覆するための工数を要する。したがって、より簡易に接触腐食を防止する方法が望まれる。
【０００９】
本発明は、このような問題に鑑みてなされたもので、接続作業性に優れ、異種金属による接触腐食を防止可能なワイヤハーネスを提供することを目的とする。
【課題を解決するための手段】
【００１０】
前述した目的を達するために本発明は、先端が絶縁被覆から露出する電線導体と、前記電線導体とは材質の異なる異種金属からなり、前記電線導体を圧着する導体圧着部と、絶縁被覆部を圧着する被覆圧着部とから形成される端子部と、少なくとも、前記導体圧着部に対応する部位を除き前記電線導体に配置されたゴム部材と、を具備し、前記電線導体を前記導体圧着部に圧着させた際に、前記導体圧着部の前後の前記電線導体が前記ゴム部材で被覆されることを特徴とするワイヤハーネスである。
【００１１】
前記導体圧着部の前後の前記電線導体を被覆するそれぞれの前記ゴム部材が連結部で連結されており、前記連結部が前記導体圧着部の変形端に対応する部位に配置されてもよい。
【００１２】
前記絶縁被覆から露出する前記電線導体は、前記ゴム部材で被覆され、前記導体圧着部に対応する部位の前記ゴム部材に穴が形成され、前記電線導体を前記導体圧着部に圧着すると、前記穴を介して前記電線導体と前記導体圧着部とが接触してもよい。
【００１３】
前記ゴム部材の内部には、接着剤が封入されており、前記電線導体を前記導体圧着部に圧着し、前記導体圧着部により前記ゴム部材の一部が破れた際に、内部の接着剤を流出させ、前記ゴム部材の破れた部位で前記接着剤を硬化させることが可能であってもよい。
【００１４】
前記導体圧着部を前記電線導体に圧着した際に、前記導体圧着部の中央部が強圧着部となり、前記導体圧着部の前後が弱圧着部となってもよい。
【００１５】
前記端子部には、前記電線導体を前記導体圧着部に圧着した際に、前記電線導体の先端に設けられたゴム部材と接触する突起部が設けられてもよい。前記電線導体はアルミニウム製であり、前記端子部が銅製であってもよい。
【００１６】
本発明によれば、異種金属からなる電線導体と端子部とが圧着され、圧着部以外の部位に露出する電線導体部にあらかじめゴム部材が設けられるため、導体部と端子部との接触部に水分が付着することがない。したがって、異種金属の接触部の電食を防ぐことができる。また、導体電線を端子部に圧着した後、樹脂等で被覆及び硬化処理を行う必要がない。このため接続作業性に優れる。
【００１７】
また、導体電線の圧着部前後のゴム部材が連結することで、ゴム部材を導体電線に取り付ける作業が容易となる。また、ゴム部材の位置が互いにずれることがない。なお、連結部が端子部の上方（端子部の圧着変形部側）に配置されることで、圧着部がゴム部材と接触し、圧着部の上方からの水分の侵入も防ぐことができる。
【００１８】
また、ゴム部材を導体電線全体に被覆し、その一部に穴をあけておくことで、確実に水分の付着を防止することができるとともに、穴において、端子部と内部の電線導体とを接触させることができる。
【００１９】
また、ゴム部材の内部に接着剤を封入しておくことで、万が一圧着時にゴム部材が破断した場合でも、破断部から接着剤が流出して、当該部位を被覆することができる。したがって、確実に電食を防止することができる。
【００２０】
また、導体圧着部の中央に強圧着部を設け、強圧着部の前後端を弱圧着部とすることで、特に圧着部端部におけるゴム部材の破損を防止することができる。
【００２１】
また、端子部の一部に突起部を形成し、電線導体を導体圧着部に圧着した際に、電線導体の先端に設けられたゴム部材を突起部に接触させることで、ゴム部材の抜けが防止される。また、電線導体の設置部位がずれることがなく、確実にゴム部材の位置と導体圧着部の位置とを合わせることができる。
【発明の効果】
【００２２】
本発明によれば、接続作業性に優れ、異種金属による接触腐食を防止可能なワイヤハーネスを提供することができる。
【図面の簡単な説明】
【００２３】
【図１】ワイヤハーネス１を示す図であり、（ａ）は分解斜視図、（ｂ）は組み立て斜視図。
【図２】ワイヤハーネス１を示す図であり、（ａ）は平面図、（ｂ）は断面図。
【図３】ワイヤハーネス１を示す断面図であり、（ａ）は図２（ａ）のＡ−Ａ線断面図、（ｂ）は図２（ａ）のＢ−Ｂ線断面図、（ｃ）は図２（ａ）のＣ−Ｃ線断面図。
【図４】電線にゴム部材２０を設けた状態を示す図。
【図５】ワイヤハーネス２１を示す図であり、（ａ）は側方断面図、（ｂ）は（ａ）のＤ−Ｄ線断面図、（ｃ）は（ａ）のＥ−Ｅ線断面図。
【図６】電線にゴム部材３０を設けた状態を示す図。
【図７】ワイヤハーネス３３を示す図であり、（ａ）は側方断面図、（ｂ）は（ａ）のＦ−Ｆ線断面図、（ｃ）は（ａ）のＧ−Ｇ線断面図。
【図８】電線にゴム部材４０を設けた状態を示す図であり、（ａ）は平面図、（ｂ）は（ａ）のＨ−Ｈ線断面図。
【図９】ゴム部材４０を設けた電線を圧着した状態を示す図であり、（ａ）は断面、（ｂ）は（ａ）のＩ部拡大図。
【図１０】ワイヤハーネス４５を示す図であり、（ａ）は圧着冶具での圧着状態を示す図、（ｂ）は圧着された状態を示す図。
【図１１】ワイヤハーネス５０を示す図であり、（ａ）は分解斜視図、（ｂ）は組み立て斜視図。
【図１２】ワイヤハーネス５０を示す断面図であり、（ａ）は図１１（ｂ）のＪ−Ｊ線断面図、（ｂ）は図１１（ｂ）のＫ−Ｋ線断面図。
【発明を実施するための形態】
【００２４】
以下、図面を参照しながら、本発明の実施形態について説明する。図１は、ワイヤハーネス１を示す図であり、図１（ａ）は分解斜視図、図１（ｂ）は組み立て斜視図である。ワイヤハーネス１は、端子部３および被覆電線５等から構成される。端子部３は、銅もしくは黄銅などが使用される。端子部３には被覆電線５が接続される。電線導体である被覆電線５は、アルミニウムもしくはアルミニウム合金製の導線が使用される。すなわち、被覆電線５の導線を構成する金属と端子部３を構成する金属は異種金属である。
【００２５】
被覆電線５の先端は、絶縁被覆５ａが剥離され、内部の電線導体７が露出する。被覆電線５の絶縁被覆５ａは端子部３の被覆圧着部１１によって圧着される。また、絶縁被覆が剥離されて露出する電線導体７は、導体圧着部１３により圧着される。導体圧着部１３において電線導体７と端子部３とが電気的に接続される。
【００２６】
電線導体７には、ゴム部材９ａ、９ｂが設けられる。ゴム部材９ａ、９ｂは、絶縁被覆５ａよりも硬度が小さく、容易に弾性変形可能な部材である。ゴム部材９ａは電線導体７の先端に設けられ、電線導体７を被覆する。ゴム部材９ｂは、電線導体７と絶縁被覆５ａとの境界部近傍に設けられ、その一部で、電線導体７を被覆する。したがって、電線導体７は、一対のゴム部材９ａ、９ｂで両端（先端および後端）を被覆され、その中央部において、内部の電線導体が露出する。
【００２７】
端子部３の一部には、突起部１５が設けられる。突起部１５は、被覆導線５を端子部３と接続する際に、被覆導線５の先端（ゴム部材９ａ）と接触する。すなわち、突起部１５は、被覆電線５の位置決めの機能と、接続時等におけるゴム部材の脱落防止の機能を奏する。
【００２８】
端子部３の先端部には筒状の端子本体が設けられる。なお、本実施例では、雌型の端子を示すが、雄端子であっても適用可能である。
【００２９】
図２（ａ）は、ワイヤハーネス１の平面図、図２（ｂ）はワイヤハーネス１の側方断面図（端子部透視図）である。前述の通り、電線導体７は導体圧着部１３によって圧着される。この際、導体圧着部１３の先端側から露出する電線導体７の部位には、ゴム部材９ａが設けられる。
【００３０】
また、被覆導線５（絶縁被覆５ａ部）およびゴム部材９ｂは被覆圧着部１１によって圧着される。この際、導体圧着部１３と被覆圧着部１１との間から露出する電線導体７の部位には、ゴム部材９ｂが設けられる。すなわち、少なくとも、導体圧着部１３に対応する部位を除く、絶縁被覆５ａが剥離された範囲の電線導体７には、あらかじめゴム部材９ａ、９ｂが設けられて被覆される。したがって、電線導体７が外部に露出することがない。
【００３１】
図３は、ワイヤハーネス１を示す断面図であり、図３（ａ）は図２（ａ）のＡ−Ａ線断面図、図３（ｂ）は図２（ａ）のＢ−Ｂ線断面図、図３（ｃ）は図２（ａ）のＣ−Ｃ線断面図である。図３（ａ）に示すように、導体圧着部１３の先端では、導体圧着部１３によって電線導体７とその外周のゴム部材９ａが圧着される。すなわち、導体圧着部１３と電線導体７との間にはゴム部材９ａが設けられる。したがって、導体圧着部１３と電線導体７との間にはゴム部材９ａが弾性変形して充填され、隙間が埋められる。なお、ゴム部材は容易に変形可能であるため、電線導体の変形等に追従可能である。
【００３２】
また、図３（ｂ）に示すように、導体圧着部１３の中央部近傍では、導体圧着部１３によって電線導体７が圧着される。すなわち、電線導体７と導体圧着部１３（端子部）とが接触して電気的に接続される。なお、導体圧着部１３は左右の変形部が折り曲げられて、端子部上部で互いの先端が接触するようにして、電線導体を圧着する。このため、導体圧着部１３上部から水分が侵入することは防止される。
【００３３】
また、図３（ｃ）に示すように、被覆圧着部１１は絶縁被覆５ａが被覆された電線導体７を圧着する。この際、絶縁被覆５ａの外周に設けられたゴム部材９ｂとともに圧着される。なお、ゴム部材９ｂは被覆圧着部１１で必ずしも圧着される必要はない。
【００３４】
以上説明したように、本実施形態のワイヤハーネス１によれば、異種金属の接触部がゴム部材９ａ、９ｂによって、外部に露出することがない。このため、電食の発生を防止することができる。また、接続作業後に、樹脂を塗布して硬化させる工程も不要である。したがって、接続作業性に優れる。
【００３５】
また、突起部１５によって、確実に導体圧着部１３と接続部の位置を合わせることができるため、位置ずれの恐れがない。また、ゴム部材９ａの脱落の恐れもない。なお、導体圧着部１３上部は、導体圧着部の変形端同士で水の浸入を防止可能である。このため、導体圧着部前後からの水の浸入をゴム部材９ａ、９ｂで防ぐことで、図３（ｂ）に示したように、導体圧着部１３の中央部において、導体圧着部と電線導体７との間に多少の隙間があっても、水分が浸入することはない。
【００３６】
次に、第２の実施形態について説明する。図４は、ゴム部材２０が取り付けられた被覆導線５を示す図である。なお、以下の説明において、図１等に示すワイヤハーネス１等と同一の機能を奏する構成には、同一の符号を付し、重複した説明を省略する。
【００３７】
ゴム部材２０は、ゴム部材９ａ、９ｂが連結された形態である。すなわち、ゴム部材２０は、先端ゴム部２０ａと後端ゴム部２０ｂ（ともにゴム部材９ａ、９ｂに対応する）が、連結部２０ｃで連結されて一体化されたものである。
【００３８】
図５（ａ）はゴム部材２０が設けられた被覆導線５を端子部３に接続したワイヤハーネス２１を示す側方断面図である。ワイヤハーネス２１では、先端ゴム部２０ａ、後端ゴム部２０ｂが、導体圧着部１３の前後における電線導体７を被覆する。この際、連結部２０ｃが上方に来るように配置される。
【００３９】
図５（ｂ）は、図５（ａ）のＤ−Ｄ線断面図、図５（ｃ）は、図５（ａ）のＥ−Ｅ線断面図である。図５（ｂ）に示すように、導体圧着部１３の先端部では、図３（ａ）と略同様の形態となる。一方、図５（ｃ）に示すように、導体圧着部１３の中央部においては、導体圧着部１３の変形端の接触部近傍に連結部２０ｃが位置する。したがって、導体圧着部１３の上部において、電線導体７と導体圧着部１３の間に連結部２０ｃが位置する。なお、図では、連結部２０ｃが、電線導体周方向に１か所形成される例を示したが、連結部２０ｃを周方向に複数個所形成してもよい。
【００４０】
第２の実施の形態にかかるワイヤハーネス２１によれば、ワイヤハーネス１と同様の効果を得ることができる。また、先端ゴム部２０ａと後端ゴム部２０ｂが、連結部２０ｃで連結されてゴム部材２０が形成される。したがって、一つのゴム部材２０を電線導体に取り付ければよいため、ゴム部材取り付け作業が容易である。
【００４１】
また、先端ゴム部２０ａと後端ゴム部２０ｂの距離（位置）が連結部２０ｃによって定まるため、位置ずれの恐れがない。また、導体圧着部１３の上部において、導体圧着部の変形端同士の接触部の下部に連結部２０ｃが位置するため、当該部位からの水分の浸入を確実に防止することができる。
【００４２】
次に、第３の実施形態について説明する。図６は、ゴム部材３０が取り付けられた被覆導線５を示す図である。ゴム部材３０は、ゴム部材９ａ、９ｂが連結されて電線導体７全体を被覆する形態である。ゴム部材３０の電線導体７に位置する一部には穴３１が設けられる。すなわち、穴３１においてのみ、ゴム部材３０から内部の電線導体７が露出する。
【００４３】
図７（ａ）はゴム部材３０が設けられた被覆導線５を端子部３に接続したワイヤハーネス３３を示す側方断面図である。ワイヤハーネス３３では、ゴム部材３０が導体圧着部１３の前後における電線導体７を被覆する。この際、穴３１が上方に来るように配置される。
【００４４】
図７（ｂ）は、図７（ａ）のＦ−Ｆ線断面図、図７（ｃ）は、図７（ａ）のＧ−Ｇ線断面図である。図７（ｂ）に示すように、導体圧着部１３の先端部では、図３（ａ）と略同様の形態となる。一方、図７（ｃ）に示すように、導体圧着部１３の中央部においては、導体圧着部１３の変形端の接触部近傍に穴３１が位置する。したがって、導体圧着部１３の上部において、電線導体７と導体圧着部１３が穴３１を介して電気的に接触する。なお、図では、穴３１がゴム部材３０の周方向に１か所形成される例を示したが、穴３１を周方向に複数個所形成してもよい。
【００４５】
第３の実施の形態にかかるワイヤハーネス３３によれば、ワイヤハーネス１と同様の効果を得ることができる。また、ゴム部材３０は電線導体７を挿入する部位が端部の１か所であるため、ゴム部材３０の取り付け作業が容易である。また、穴３１によって確実に電線導体と端子部との導通を取ることができる。
【００４６】
次に、第４の実施形態について説明する。図８（ａ）は、ゴム部材４０が取り付けられた被覆導線５を示す平面図であり、図８（ｂ）は図８（ａ）のＨ−Ｈ線断面図である。ゴム部材４０は、ゴム部材２０と略同様の形状である。すなわち、ゴム部材４０は、先端ゴム部４０ａと後端ゴム部４０ｂが、連結部４０ｃで連結されて一体化されたものである。
【００４７】
図８（ｂ）に示すように、ゴム部材４０は、ゴム部材２０と異なり、ゴム部材の内部に接着剤４１が封入される。接着剤４１は、先端ゴム部４０ａのみではなく、後端ゴム部４０ｂ、連結部４０ｃにもそれぞれ封入される。なお、本実施形態では、ゴム部材２０と同一形態のもに接着剤を封入した例を示すが、その他のゴム部材９ａ、９ｂ、３０等に対しても適用可能である。
【００４８】
接着剤４１としては、通常の溶媒型であって、空気中で自然硬化するものであってもよく、または、熱硬化型、紫外線硬化型などを適用することができる。
【００４９】
図９（ａ）は、図８（ｂ）に示す部位を導体圧着部１３で圧着した状態を示す断面図であり、図９（ｂ）は図９（ａ）のＩ部拡大図である。導体圧着部１３によって対象部を圧着すると、特に、導体圧着部１３の先端部においてゴム部材４０が潰される。この際、ゴム部材４０の一部が破断する恐れがある。
【００５０】
これに対し、ゴム部材４０は、その一部が破れても、内部の接着剤４１が当該部位から流出する。したがって、接着剤４１がゴム部材４０の破れた部位を被覆する。また、導体圧着部１３の合わせ部に隙間が形成されれば、導体圧着部１３の上面側にも接着剤４１が染み出して、当該部位を被覆する。
【００５１】
接着剤４１は、自然硬化または熱や光によって硬化される。したがって、ゴム部材４０の破れた部位を被覆した状態で硬化する。このため、当該部位から水が浸入することがない。
【００５２】
第４の実施の形態にかかるゴム部材４０を用いれば、ワイヤハーネス１と同様の効果を得ることができる。また、ゴム部材４０には接着剤４１が封入されるため、ゴム部材が破れたとしても、確実に水の浸入を防止することができる。
【００５３】
次に、他の実施形態について説明する。図１０は、ワイヤハーネス４５を示す図であり、図１０（ａ）は圧着冶具４７での圧着状態を示す図、図１０（ｂ）は圧着された状態を示す図である。ワイヤハーネス４５は、ワイヤハーネス３３と略同様であるが、使用する圧着冶具が異なる。なお、以下の実施例ではゴム部材３０を用いる例を示すが、他のゴム部材にも適用可能である。
【００５４】
図１０（ａ）に示すように、圧着冶具４７は、中央部が突出し、両端にはテーパ部４９が形成される。なお、テーパ部４９は直線状であっても曲線状であってもよい。また、圧着冶具４７の形状は図示した例に限られない。
【００５５】
図１０（ｂ）に示すように、圧着冶具４７を用いて導体圧着部１３を圧着すると、圧着冶具４７の形状に応じて、導体圧着部１３の中央部が大きく変形し、テーパ部４９はテーパ形状に沿って圧着される。したがって。導体圧着部１３の中央部が強く圧着されて強圧着部１３ｂとなり、その前後に徐々に圧着強さが弱くなる弱圧着部１３ａが形成される。
【００５６】
通常、導体圧着部で電線導体（ゴム部材）を強く圧着すると、当該圧着部においてゴム部材が強く変形する。この場合、特に、圧着部両端部近傍における急激に圧着が開放される部位において、ゴム部材の破れが生じることが多い。これに対し、圧着部の前後端部近傍を弱く圧着することで、圧着部端部に生じるゴム部材の急激な変形を抑制することができる。すなわち、ワイヤハーネス４５によれば、導体圧着部の前後端部近傍の圧着強さを弱くすることで、通常の圧着よりもゴム部材の破れを防止することができる。
【００５７】
また、強圧着部および弱圧着部を形成する方法としては、図１１に示すワイヤハーネス５０を用いてもよい。図１１（ａ）はワイヤハーネス５０の分解斜視図、図１１（ｂ）は組み立て斜視図である。ワイヤハーネス５０は、ワイヤハーネス１と略同様であるが、端子部３の導体圧着部の形態が異なる。導体圧着部５１には、スリット５３が形成され、導体前方圧着部５１ａ、導体中央圧着部５１ｂ、導体後方圧着部５１ｃに分離される。
【００５８】
図１１（ｂ）に示すように、導体前方圧着部５１ａ、導体中央圧着部５１ｂ、導体後方圧着部５１ｃのそれぞれの部位は、電線導体７（ゴム部材を含む）を圧着する。なお、圧着に際しては、導体前方圧着部５１ａ、導体中央圧着部５１ｂ、導体後方圧着部５１ｃそれぞれの圧着強さが異なるように、テーパ部または段差部を有する圧着冶具を用いればよい。
【００５９】
図１２（ａ）は、図１１（ｂ）のＪ−Ｊ線断面図、図１２（ｂ）は図１１（ｂ）のＫ−Ｋ線断面図である。図１２（ｂ）に示すように、導体中央圧着部５１ｂにおいては、通常の圧着部と同様に、電線導体７が確実に圧着される。すなわち、導体中央圧着部５１ｂは、電線導体７が強く圧着され強圧着部となる。
【００６０】
これに対し、図１２（ａ）に示すように、導体前方圧着部５１ａにおいては、導体中央圧着部５１ｂと比較して、圧着強さが弱い弱圧着部となる。すなわち、導体前方圧着部５１ａでは、電線導体７（ゴム部材３０）を上方から押さえるだけで、電線導体７（ゴム部材３０）が強くかしめられることがない。なお、導体後方圧着部５１ｃも導体前方圧着部５１ａと同様であり、導体中央圧着部５１ｂと比較して、圧着強さが弱い弱圧着部となる。ワイヤハーネス５０もワイヤハーネス４５と同様の効果を得ることができる。
【００６１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００６２】
１、２１、３３、４５、５０………ワイヤハーネス
３………端子部
５………被覆導線
５ａ………絶縁被覆
７………電線導体
９ａ、９ｂ、２０、３０、４０………ゴム部材
１１………被覆圧着部
１３、５１………導体圧着部
１３ａ………弱圧着部
１３ｂ………強圧着部
１５………突起部
２０ａ、４０ａ………先端ゴム部
２０ｂ、４０ｂ………後端ゴム部
２０ｃ、４０ｃ………連結部
３１………穴
４１………接着剤
４７………圧着冶具
４９………テーパ部
５１ａ………導体前方圧着部
５１ｂ………導体中央圧着部
５１ｃ………導体後方圧着部
５３………スリット
【図１】
2012198998.tif 000003
【図２】
2012198998.tif 000004
【図３】
2012198998.tif 000005
【図４】
2012198998.tif 000006
【図５】
2012198998.tif 000007
【図６】
2012198998.tif 000008
【図７】
2012198998.tif 000009
【図８】
2012198998.tif 000010
【図９】
2012198998.tif 000011
【図１０】
2012198998.tif 000012
【図１１】
2012198998.tif 000013
【図１２】
2012198998.tif 000014